(57)【特許請求の範囲】
【請求項１】
集合住宅の互いに隣接する各住居のバルコニーの境界部分に設置されて、各住居のバルコニーから隣接する住居のバルコニーへ排水が流出するのを防止する排水仕切部材であって、バルコニーの出幅と同一もしくは略同一の長さを有する水平部、及び、該水平部の全長に亘って該水平部の幅方向中間部位から立設された立ち上がり部を備え、排水溝が該水平部の全長に亘って該水平部の上面に形成されていることを特徴とするバルコニーの排水仕切部材と、
前記排水仕切部材を配置した床材と、
を具備し、
前記排水仕切部材の溝縁部の高さが前記床材よりも高いこと、
を特徴とするバルコニー構造。
【請求項２】
排水溝の、立ち上がり部と反対側の溝縁部の高さが、水平部の側端側から立ち上がり部側に近づくにつれて高くなり、土手状の溝縁部が形成されていること、
を特徴とする請求項１に記載のバルコニー構造。
【発明の詳細な説明】
【技術分野】
【０００１】
本発明は、集合住宅の互いに隣接する各住居のバルコニーにおいて植物に水やりをしたりバルコニーを水掃除したときの排水が、隣接する住居のバルコニーへ流出するのを防止するバルコニーの排水仕切部材を用いたバルコニー構造に関する。
【背景技術】
【０００２】
バルコニーの排水仕切部材として、本出願人が既に提案した以下のようなバルコニーの排水仕切部材が知られている（特許文献１）。
即ち、この特許文献１に記載されたバルコニーの排水仕切部材は、連続するバルコニーを各住居の相当領域ごとに仕切り板で区切った集合住宅において、バルコニーに敷設された床シートの自家相当領域と隣家相当領域との境界線近傍に設置することで、自家相当領域のバルコニーから隣家相当領域のバルコニーへ排水が流出するのを防止する排水仕切部材であって、水平部と立ち上がり部からなる略逆Ｔ字形をしており、水平部の厚みが両隣に敷設された床シートと同じ乃至略同じで、その長さがバルコニーの幅と同じ乃至略同じであることを特徴とするものである。
【先行技術文献】
【特許文献】
【０００３】
【特許文献１】特開２００８−２２３２３９号公報
【発明の概要】
【発明が解決しようとする課題】
【０００４】
しかしながら、特許文献１に記載された排水仕切り部材を、集合住宅の互いに隣接する各住居のバルコニーの境界部分に設置すると、各住居のバルコニーで植物に水やりをしたりバルコニーを水掃除したときのゴミ、塵、砂などを含む排水を、排水仕切部材の立ち上がり部で堰き止めて、隣接する住居のバルコニーに流出するのを防止することはできるが、堰き止められた排水が自己の住居のバルコニーへ逆流し、この逆流した排水によって自己の住居のバルコニー床面が汚れてしまうという問題があった。即ち、排水には小さな砂粒やゴミなどの汚れ物質が含まれている場合が多く、排水が自己の住居のバルコニー床面に逆流すると、その汚れ物質がバルコニー床面に堆積することになるのである。
また、排水の流勢が強い場合は、排水仕切部材の立ち上がり部の高さをかなり高くしなければ、隣接する住居のバルコニーへの流出を充分防止できないという問題もあった。
【０００５】
本発明は上記の問題に鑑みてなされたもので、その解決しようとする課題は、立ち上がり部で堰き止められて逆流する排水により自己の住居のバルコニー床面が汚れる不都合を解消でき、立ち上がり部をあまり高くしなくても排水が隣接する住居のバルコニーへ流出するのを充分防止できるバルコニーの排水仕切部材を用いたバルコニー構造を提供することにある。
【課題を解決するための手段】
【０００６】
上記課題を解決するため、本発明に係るバルコニー構造は、
集合住宅の互いに隣接する各住居のバルコニーの境界部分に設置されて、各住居のバルコニーから隣接する住居のバルコニーへ排水が流出するのを防止する排水仕切部材であって、バルコニーの出幅と同一もしくは略同一の長さを有する水平部、及び、該水平部の全長に亘って該水平部の幅方向中間部位から立設された立ち上がり部を備え、排水溝が該水平部の全長に亘って該水平部の上面に形成されていることを特徴とするバルコニーの排水仕切部材と、
前記排水仕切部材を配置した床材と、
を具備し、
前記排水仕切部材の溝縁部の高さが前記床材よりも高いこと、を特徴とするものである。
【０００７】
本発明に係るバルコニー構造においては、排水溝の立ち上がり部と反対側の溝縁部の高さが、水平部の側端側から立ち上がり部側に近づくにつれて高くなり、土手状の溝縁部が形成されていることが好ましい。そして、立ち上がり部の高さが排水溝の溝縁部の高さよりも高いことが好ましい。また、立ち上がり部の上部に、排水溝の内側方向へ迫り出す水返し部が形成されていることが好ましく、更に、排水溝の立ち上がり部と反対側の溝縁部の上部に、排水溝の内側方向へ迫り出す水返し部が形成されていることも好ましい。
【０００８】
そして、本発明に係るバルコニー構造は、本発明に係る上記の排水仕切部材が集合住宅の互いに隣接する各住居のバルコニーの境界部分に設置されていることを特徴とするものである。
【発明の効果】
【０００９】
本発明に係るバルコニー構造のように、排水仕切部材が、バルコニーの出幅と同一もしくは略同一の長さを有する水平部と、該水平部の全長に亘って該水平部の幅方向中間部位から立設された立ち上がり部とを備え、排水溝が該水平部の全長に亘って該水平部の上面に形成されていると、各住居のバルコニーから隣接する住居のバルコニーへ流出しようとする排水が立ち上がり部によって堰き止められるので、隣接する住居のバルコニーへ排水が流出するのを防止することができる。そして、立ち上がり部で堰き止められた排水は、自己の住居のバルコニーに逆流することなく、水平部の上面に形成された排水溝に受け止められ、この排水溝を流れてバルコニー前縁の凹溝に流入するので、自己の住居のバルコニー床面が逆流する排水によって汚れる不都合を解消することができる。
【００１０】
また、本発明のバルコニー構造において、排水溝の立ち上がり部と反対側の溝縁部の高さが、水平部の側端側から立ち上がり部側に近づくにつれて高くなり、土手状の溝縁部が形成されていると、隣接する住居のバルコニーへ流出しようとする排水がこの土手状の溝縁部を容易に乗り越え、乗り越えるときに排水の流勢が弱められて立ち上がり部で堰き止められる。従って、立ち上がり部に当たって逆流しようとする排水の流勢は大幅に減衰されるので、土手状の溝縁部によって排水の逆流を一層効果的に防止しながら、排水溝を通じて排水をバルコニー前縁の凹溝に流すことができる。
【００１１】
また、本発明のバルコニー構造の排水仕切部材において、立ち上がり部の高さが排水溝の溝縁部の高さよりも高くなっていると、立ち上がり部によって、排水が隣接する住居のバルコニーへ流出するのを効果的に防止することができる。
【００１２】
そして、本発明のバルコニー構造の排水仕切部材において、立ち上がり部の上部に、排水溝の内側方向へ迫り出す水返し部が形成されていると、隣接する住居のバルコニーへ流出しようとする排水が立ち上がり部に勢い良く当たった場合でも、水返し部によって排水が排水溝の方に戻されるので、立ち上がり部をあまり高くしなくても、隣接する住居のバルコニーへの排水の流出を確実に防止することができる。
【００１３】
更に、本発明のバルコニー構造の排水仕切部材において、排水溝の立ち上がり部と反対側の溝縁部の上部に、排水溝の内側方向へ迫り出す水返し部が形成されていると、立ち上がり部で堰き止められて逆流しようとする排水が、溝縁部の上部の水返し部によって排水溝の内側に戻されるので、排水の逆流をより確実に防止することができる。
【００１４】
また、本発明に係るバルコニー構造のように、本発明の排水仕切部材が集合住宅の互いに隣接する各住居のバルコニーの境界部分に設置されていると、各住居のバルコニーから隣接する住居のバルコニーへ流出しようとする排水が立ち上がり部によって堰き止められるので、隣接する住居のバルコニーへ排水が流出するのを防止することができ、立ち上がり部で堰き止められた排水は、自己の住居のバルコニーに逆流することなく、水平部の上面の排水溝を通ってバルコニー前縁の凹溝へ流れるので、自己の住居のバルコニー床面が逆流する排水によって汚れる不都合を解消することができる。
【図面の簡単な説明】
【００１５】
【図１】本発明の一実施形態に係る排水仕切部材の斜視図である。
【図２】同排水仕切部材の断面図である。
【図３】本発明の他の実施形態に係る排水仕切部材の断面図である。
【図４】本発明の更に他の実施形態に係る排水仕切部材の断面図である。
【図５】本発明の更に他の実施形態に係る排水仕切部材の断面図である。
【図６】本発明の更に他の実施形態に係る排水仕切部材の断面図である。
【図７】本発明の更に他の実施形態に係る排水仕切部材の断面図である。
【図８】本発明の更に他の実施形態に係る排水仕切部材の断面図である。
【図９】本発明の更に他の実施形態に係る排水仕切部材の断面図である。
【図１０】本発明の更に他の実施形態に係る排水仕切部材の断面図である。
【図１１】本発明のバルコニー構造を示す斜視図である。
【図１２】同バルコニー構造における排水仕切部材の設置部分を示す部分断面図である。
【図１３】同バルコニー構造における排水仕切部材の前端部分を示す部分斜視図である。
【図１４】同バルコニー構造における排水仕切部材の後端部分を示す部分斜視図である。
【発明を実施するための形態】
【００１６】
以下、図面を参照して、本発明に係る排水仕切部材を用いたバルコニー構造の実施形態について詳細に説明する。
【００１７】
図１は本発明の一実施形態に係るバルコニー構造における排水仕切部材の斜視図、図２は同排水仕切部材の断面図、図１１は同排水仕切部材を用いた本発明のバルコニー構造を示す斜視図である。
【００１８】
図１，図２に示す排水仕切部材１Ａは、図１１に示すように集合住宅の互いに隣接する各住居Ｈ，ＨのバルコニーＢ，Ｂの境界部分の床面に設置されて、バルコニーの床面を仕切ると共に、各住居ＨのバルコニーＢから隣接する住居ＨのバルコニーＢへ排水（バルコニーＢを水掃除したりバルコニーＢの植物に水やりをしたときの排水）が流出するのを防止するための部材である。
なお、上記したように、本発明の排水仕切部材は、バルコニーＢ，Ｂの境界部分の床面に設置することが通常であるものの、厳密な意味での境界部分に設置されることは必須ではなく、一方の住居側に若干偏って（即ち、一方の住居のバルコニーに入り込んだ状態で）設置されてもよく、排水を仕切りたい部位に設置されればよいのである。
【００１９】
この排水仕切部材１Ａは、図１，図２，図１１に示すように、バルコニーＢの床面の出幅ｄ（バルコニー前縁の凹溝２０を除いた出幅）と同一もしくは略同一の長さを有する略矩形板状の水平部２と、該水平部２の全長に亘って該水平部２の幅方向中間部位から立設された一定の高さの立ち上がり部３とを備えた、略逆Ｔ字形の断面形状を有するものであって、該水平部２の上面には、一対の排水溝４，４が立ち上がり部３の両側に位置して水平部２の全長に亘って平行に形成されている。そして、これらの排水溝４，４の上記立ち上がり部３と反対側の溝縁部５，５は、その高さが水平部２の双方の側端側から立ち上がり部３側に近づくにつれて徐々に高くなり、傾斜面を有する断面が直角三角形の土手状に形成されている。
【００２０】
この排水仕切部材１Ａは、上記のように土手状の溝縁部５，５を水平部２の上面に突設することによって排水溝４，４を水平部２の上面に形成しているが、水平部２の上面を立ち上がり部３の両側で凹設することによって排水溝４，４を形成してもよい。また、この排水仕切部材１Ａでは、排水溝４，４が立ち上がり部３の両側に間隔をあけないで形成されているが、立ち上がり部３との間に間隔をあけて排水溝４，４を形成してもよい。更に、溝縁部５，５の内側面や、立ち上がり部３の下端部の両側面をそれぞれ凹湾曲面とし、排水の流れをスムーズにすると共に、排水溝４，４の清掃性を向上させるようにしてもよい。
【００２１】
この排水仕切部材１Ａの各部の寸法は特に限定されないが、好ましい各部の寸法を例示すると以下の通りである。
即ち、この排水仕切部材１Ａの水平部２及び立ち上がり部３の全長は、バルコニーＢの出幅ｄが一般的に９００〜２０００ｍｍであるから、９００〜２０００ｍｍ程度とするのがよい。但し、後述するように、排水仕切部材１Ａの前後両端は通常、コーキング材などでコーキングされるので、コーキングの幅寸法分（前後各５ｍｍ程度）だけバルコニーＢの出幅ｄよりも短くすることが好ましい。
【００２２】
水平部２の厚さ、特に両側端部の厚さは、後述するようにバルコニーＢの床面に敷設される床材２１の厚さが一般的に１〜５ｍｍ程度であるから、これに合わせて１〜５ｍｍ程度とし、床材２１と水平部２との接合部分に段差が生じないようにすることが好ましい。また、水平部２の全幅は５０〜１５０ｍｍ程度とすればよい。
【００２３】
立ち上がり部３の高さは、土手状の溝縁部５よりもかなり高くなるように２０〜１００ｍｍ程度とするのがよく、好ましくは２５〜５０ｍｍ程度とするのが良い。この程度の高さにすると、排水が各住居ＨのバルコニーＢから隣接する住居ＨのバルコニーＢへ流出するのを充分防止することができる。
【００２４】
排水溝４の深さ、換言すれば、土手状の溝縁部５の最大高さは、２〜１０ｍｍ程度とするのがよく、また、溝幅は１５〜４０ｍｍ程度とするのがよい。この程度の深さと溝幅を有する排水溝４，４を形成すると、立ち上がり部３で堰き止めた排水を、自己の住居ＨのバルコニーＢへ逆流させることなく、バルコニー前縁の凹溝２０へ全て流すことができる。
【００２５】
上記の排水仕切部材１Ａは、例えば、熱可塑性合成樹脂を用いて溶融押出成形法などの公知の成形技術で容易に製造される。もっとも、金属や石、木などの自然素材で製造してもよいことは言うまでもない。特に、軟質塩化ビニル樹脂やオレフィン系樹脂、熱可塑性エラストマーなどの柔軟な樹脂を用いて排水仕切部材１Ａを製造すると、バルコニー床面の不陸に追従して設置することができ、また排水仕切部材１Ａを巻き取ったり折り曲げたりすることができるので、包装や輸送の際に好都合である。
また、長期間の使用や熱などの影響で、立ち上がり部３が変形する虞れがある場合は、二色押出成形法によって、水平部２を軟質合成樹脂で成形すると共に、立ち上がり部３の全体又は下端部分（付根部分）を硬質もしくは半硬質の合成樹脂で成形してもよい。
【００２６】
図１１に示すバルコニー構造は、上記の排水仕切部材１Ａを集合住宅の互いに隣接する各住居Ｈ，ＨのバルコニーＢ，Ｂの境界部分に設置したものであって、バルコニーＢの床面には、住居Ｈの外壁２２側からバルコニー前縁の凹溝２０側に向かって１／１００〜１／５０程度の水勾配がつけられており、各住居ＨのバルコニーＢの床面には、厚さ１〜５ｍｍ程度の合成樹脂製もしくは合成ゴム製の床材２１が床用接着剤（不図示）もしくは粘着剤（不図示）で貼着されている。そして、隣接する各住居Ｈ，ＨのバルコニーＢ，Ｂの床材が貼着されていない境界部分の床面には、上記の排水仕切部材１Ａが一液反応性のウレタン系接着剤などの接着剤（不図示）や粘着剤（不図示）で貼着されており、各排水仕切部材１Ａの上方には、バルコニー仕切板２３がバルコニーＢの床面から４０〜１５０ｍｍ程度の間隔をあけて、各住居Ｈの外壁２２の境界部分に取付け固定されている。
【００２７】
また、この排水仕切部材１Ａの水平部２とその両側の床材２１，２１との接合部分は、図１２に示すように、コーキング材２４やシーム液、溶接棒などを用いて水密的に接合されており、更に、図１３、図１４に示すように、排水仕切部材１Ａの水平部２の前端と、水平部２及び立ち上がり部３の後端も、コーキング材２４で水密的にコーキングされている。
【００２８】
このバルコニー構造のように、排水仕切部材１Ａが集合住宅の互いに隣接する住居Ｈ，ＨのバルコニーＢ，Ｂの境界部分に設置されていると、自己の住居ＨのバルコニーＢから隣接する住居ＨのバルコニーＢへ流出しようとする排水が排水仕切部材１Ａの立ち上がり部３によって堰き止められるので、隣接する住居ＨのバルコニーＢへ排水が流出するのを防止することができる。そして、立ち上がり部３で堰き止められた排水は、自己の住居ＨのバルコニーＢに逆流することなく、水平部２の上面に形成された排水溝４に受け止められ、この排水溝４を流れてバルコニー前縁の凹溝２０に流入するので、自己の住居ＨのバルコニーＢに貼着された床材２１が逆流する排水によって汚れるのを解消することができる。
【００２９】
しかも、排水仕切部材１Ａの溝縁部５は、その高さが水平部２の側端側から立ち上がり部３側に近づくにつれて徐々に高くなり、傾斜面を有する断面が直角三角形の土手状に形成されているため、隣接する住居ＨのバルコニーＢへ流出しようとする排水がこの土手状の溝縁部５を容易に乗り越え、乗り越えるときに排水の流勢が弱められて立ち上がり部３で堰き止められることになる。そのため、立ち上がり部３に当たって逆流しようとする排水の流勢は大幅に減衰されるので、土手状の溝縁部５によって排水の逆流を一層効果的に防止しながら、排水溝４を通じて排水をバルコニー前縁の凹溝２０に流すことができる。
【００３０】
また、隣接する住居Ｈ，ＨのバルコニーＢ，Ｂの境界部分に排水仕切部材１Ａが設置されない従来の集合住宅では、バルコニー仕切板２３の直下で、隣接する住居Ｈ，Ｈのバルコニーの床材２１，２１同士を接合することが多く、その場合にはバルコニー仕切板２３が邪魔になるため、床材２１，２１を接合する溶接作業やコーキング作業がし辛くて、仕上がりの精度や美観が損なわれることが多々あった。けれども、本発明のバルコニー構造のように、排水仕切部材１Ａを隣接する住居Ｈ，ＨのバルコニーＢ，Ｂの境界部分に設置して、排水仕切部材１Ａの幅の広い水平部２とその両側の床材２１とを接合すると、接合箇所がバルコニー仕切板２３から両側に水平部２の幅寸法だけ移動して、バルコニー仕切板２３が接合作業の邪魔になりにくいため、接合作業がし易くなって仕上がり精度や外観が向上するという副次的な利点もある。
【００３１】
図３は本発明の他の実施形態に係る排水仕切部材１Ｂを示す断面図である。
この排水仕切部材１Ｂは、排水溝４，４の底面となる水平部２の上面に、溝縁部５，５よりも高さが低い二等辺三角形の断面形状を有する複数の凸条６が、一定の間隔をあけて排水溝４，４の全長に亘って互いに平行に形成されている。
この排水仕切部材１Ｂの他の構成は前記排水仕切部材１Ａと同様であるので、図３において同一部分に同一符合を付して説明を省略する。
【００３２】
この排水仕切部材１Ｂのように、排水溝４，４の底面となる水平部２の上面に複数の凸条６（凸条６は一つであってもよいことは言うまでもない）が平行に形成されていると、凸条６によって流勢いが弱められるとともに、凸条６の整流作用によって排水が排水溝４，４内をスムーズに流れるようになり、清掃性も向上するという利点がある。
【００３３】
図４は本発明の更に他の実施形態に係る排水仕切部材１Ｃの断面図である。
この排水仕切部材１Ｃは、立ち上がり部３の上部の両側に、排水溝４，４の内側方向へ迫り出す凸湾曲した水返し部７，７が形成されている。その他の構成は前記排水仕切部材１Ｂと同様であるので、図４において同一部分に同一符合を付して説明を省略する。
【００３４】
この排水仕切部材１Ｃのように、立ち上がり部３の上部に水返し部７，７が形成されていると、隣接する住居ＨのバルコニーＢへ流出しようとする排水が立ち上がり部３に勢い良く当たって乗り越えようとしても、水返し部７によって排水が排水溝４の方に戻されるので、立ち上がり部３をあまり高くしなくても、隣接する住居ＨのバルコニーＢへの排水の流出をより確実に防止できる利点がある。
【００３５】
図５は本発明の更に他の実施形態に係る排水仕切部材１Ｄの断面図である。
この排水仕切部材１Ｄは、立ち上がり部３の両側面を凹湾曲面とすることによって、立ち上がり部３の上部の両側に、排水溝４，４の内側方向へ迫り出す凹湾曲した水返し部８，８を形成すると共に、立ち上がり部３の上端面を凸曲面としたものである。その他の構成は前記排水仕切部材１Ｂと同様であるので、図５において同一部分に同一符合を付して説明を省略する。
【００３６】
この排水仕切部材１Ｄも水返し部７によって排水を排水溝４の方に戻し、排水の流出を確実に防止できるものであるが、水返し部７が凹湾曲しているため、立ち上がり部３に当たった排水を上向きに回転させながらスムーズに反転させて排水溝４へ戻し、優れた水返し効果を発揮できる利点がある。また、立ち上がり部３に当たった排水を上向きに回転させながら反転させると、立ち上がり部３の両側の凹湾曲面、特に凹湾曲面の上部が、反転する排水で洗われて汚れが付着し難くなるという利点もある。
【００３７】
図６は本発明の更に他の実施形態に係る排水仕切部材１Ｅの断面図である。
この排水仕切部材１Ｅは、排水溝４，４の溝縁部５，５の上端に、排水溝の内側方向に向かって、換言すれば立ち上がり部３に向かって、斜め上方に迫り出す小さな水返し部９，９が形成されている。水返し部９，９の寸法は限定されないが、その高さを２〜１０ｍｍ程度、迫り出し寸法（排水溝の内側方向への突き出し寸法）を４〜８ｍｍ程度とするのが適当である。その他の構成は前記排水仕切部材１Ｄと同様であるので、図６において同一部分に同一符合を付して説明を省略する。
【００３８】
この排水仕切部材１Ｅのように、排水溝４，４の溝縁部５，５の上端に小さな水返し部９，９が形成されていると、立ち上がり部３で堰き止められて逆流しようとする排水が、水返し部９によって排水溝４の内側に戻されるので、排水の逆流をより確実に防止できる利点がある。なお、水返し部９によって排水を排水溝４の内側にスムーズに戻すためには、溝縁部５から水返し部９に至る内側面を凹湾曲面に形成することが好ましく、そのようにすると優れた水返し効果を発揮できる利点がある。
【００３９】
図７は本発明の更に他の実施形態に係る排水仕切部材１Ｆの断面図である。
この排水仕切部材１Ｆは、立ち上がり部３を幅広で下端が開放した二重壁構造となし、この二重壁構造の立ち上がり部３の両側面を凹湾曲面として、排水溝４，４の内側方向へ迫りだす凹湾曲した水返し部８，８を立ち上がり部３の上部に形成したものである。その他の構成は前記排水仕切部材１Ｅと同様であるので、図７において同一部分に同一符合を付して説明を省略する。
【００４０】
この排水仕切部材１Ｆのように、立ち上がり部３が幅広で下端の開放した二重壁構造であると、排水仕切部材１Ｆが軟質合成樹脂で成形されていても、立ち上がり部３が変形したり傾いたりし難くなる利点がある。なお、立ち上がり部３を下端が閉じた中空構造としても、同様の利点がある。
【００４１】
図８は本発明の更に他の実施形態に係る排水仕切部材１Ｇの断面図である。
この排水仕切部材１Ｇは、排水溝４，４の底面を、その高さが溝縁部５，５の上端から立ち上がり部３の下端（付根部分）に近づくにつれて徐々に低くなるように傾斜させたものである。その他の構成は前記排水仕切部材１Ｃと同様であるので、図８において同一部分に同一符合を付して説明を省略する。
【００４２】
前述した排水仕切部材１Ａ〜１Ｆはいずれも、排水溝４，４の底面を水平面に形成しているが、排水溝４，４の底面は必ずしも水平面とする必要はなく、上記排水仕切部材１Ｇの排水溝４，４の底面のように傾斜面とすることも可能である。
【００４３】
図９は本発明の更に他の実施形態に係る排水仕切部材１Ｈの断面図である。
この排水仕切部材１Ｈは、排水溝４，４の後端部（住居Ｈの外壁２２側となる端部）にホースホルダー１０，１０を配置し、溝縁部５，５の上部および立ち上がり部３の下部から排水溝４，４の内側に突き出した押え片１１，１１によってホースホルダー１０，１０の水平基板部１０ａ，１０ａの両端を押えて固定すると共に、隣接するバルコニーＢ，Ｂにそれぞれ設置されたエアコンの屋外機２５のドレンホース２６（図１１を参照）をホースホルダー１０，１０まで引き回して、ホースホルダー１０，１０の略半環状の保持部１０ｂ，１０ｂにドレンホース２６，２６の先端を嵌合保持させ、排水溝４，４をドレン排水溝として兼用できるようにしたものである。その他の構成は前記排水仕切部材１Ｂと同様であるので、図９において同一部分に同一符合を付して説明を省略する。
【００４４】
この排水仕切部材１Ｈのように、排水溝４，４をドレン排水溝として兼用できる構成にすると、従来、各住居ＨのバルコニーＢに設置していたドレン排水溝部材を省略できる利点がある。
【００４５】
図１０は本発明の更に他の実施形態に係る排水仕切部材１Ｊの断面図である。
この排水仕切部材１Ｊは、排水溝４，４に蓋材１２，１２を被せ、溝縁部５，５の上部および立ち上がり部３の下部から排水溝４，４の内側に突き出した押え片１１，１１によって、蓋材１２，１２の一段低い段状の両側縁を押えて固定すると共に、蓋材１２，１２の立ち上がり部３と反対側の側端に沿って凸縁部１２ａ，１２ａを設け、蓋材１２，１２を被せた排水溝４，４をドレン排水溝として利用する一方、凸縁部１２ａ，１２ａを形成した蓋材１２，１２の上面側を排水溝として利用し、立ち上がり部３で堰き止められた排水を流すようにしたものである。その他の構成は前記排水仕切部材１Ｈと同様であるので、図１０において同一部分に同一符合を付して説明を省略する。
【００４６】
この排水仕切部材１Ｊのように、排水溝４，４に蓋材１２，１２を被せ、蓋材１２，１２の側端に凸縁部１２ａ，１２ａを形成すると、排水とドレン排水を蓋材１２，１２の上面側と排水溝４，４とに分離して流すことができ、ドレン排水を流す排水溝４，４は蓋材１２，１２で覆われるので、美観を維持できる利点がある。
【符号の説明】
【００４７】
１Ａ，１Ｂ，１Ｃ，１Ｄ，１Ｅ，１Ｆ，１Ｇ，１Ｈ，１Ｊ  排水仕切部材
２    水平部
３    立ち上がり部
４    排水溝
５    溝縁部
６    凸条
７，８  水返し部
９    水返し部
１０  ホースホルダー
１２  蓋材
２０  バルコニー前縁の凹溝
２１  床材
２２  外壁
２３  バルコニー仕切板
２４  コーキング材
２６  ドレンホース
Ｈ    互いに隣接する住居
Ｂ    バルコニー
ｄ    バルコニーの出幅
【図１】
0006264402.tif 000002
【図２】
0006264402.tif 000003
【図３】
0006264402.tif 000004
【図４】
0006264402.tif 000005
【図５】
0006264402.tif 000006
【図６】
0006264402.tif 000007
【図７】
0006264402.tif 000008
【図８】
0006264402.tif 000009
【図９】
0006264402.tif 000010
【図１０】
0006264402.tif 000011
【図１１】
0006264402.tif 000012
【図１２】
0006264402.tif 000013
【図１３】
0006264402.tif 000014
【図１４】
0006264402.tif 000015